(57)【要約】      （修正有）【課題】周囲雰囲気の影響を受けずに窓ガラスの性能を評価することができる簡便な構成の温度測定装置を提供する。【解決手段】温度測定装置は、窓ガラスに面接触する開口部を有する箱状部材１１０と、箱状部材の内部の温度を測定する熱電対１２０とを備える。箱状部材の内壁は、入射される太陽光を乱反射させるコーティング処理がされている。さらに、箱状部材は、断熱性のある材料で構成されている。【選択図】図２
0003221243.tif 000002
【実用新案登録請求の範囲】
【請求項１】
窓ガラスに面接触する開口部を有する箱状部材と、
前記箱状部材の内部の温度を測定する温度測定手段と
を備える温度測定装置。
【請求項２】
前記箱状部材の内壁は、入射される太陽光を乱反射させるコーティング処理がされていることを特徴とする、請求項１に記載の温度測定装置。
【請求項３】
前記箱状部材は、断熱性のある材料で構成されることを特徴とする、請求項１または２に記載の温度測定装置。
【考案の詳細な説明】
【技術分野】
【０００１】
本考案は、温度測定装置に関する。
【背景技術】
【０００２】
近年、建築物の窓に用いられるガラスの高性能化が進んでいる。例えば、太陽光を透過する一方で熱エネルギーを遮蔽し、室内温度の上昇を抑制する窓ガラスなどが開発されている。
【０００３】
このようなガラスの性能を評価するための温度測定装置が知られている。例えば、特開２００７−２４７２７号公報（特許文献１）では、開口部を備えると共に開口部以外の内側表面の一部または全面に熱流計を備えた測定箱と、測定箱内部の温度を検知する箱内温度センサと、測定箱外部の温度を検知する室内温度センサと、測定箱内部を冷却する冷却装置と、測定箱内部の温度が測定箱外部の温度と近くなるように、または等しくなるように冷却装置を制御する制御装置、とを含む窓の熱的性能計測装置が開示されている。特許文献１によれば、建物等に設置されている窓が、実際の使用状況下において如何なる日射遮蔽性能などの熱性能を発揮しているのかを現場において比較的簡易に計測することができる。
【０００４】
しかしながら、特許文献１に記載の窓の熱的性能計測装置は、箱体内部を冷却する冷却装置や、その制御装置などが含まれるため、構成が複雑となるほか、装置のコストが増大することとなっていた。そのため、より簡便な構成の温度測定装置が求められていた。
【考案の概要】
【考案が解決しようとする課題】
【０００５】
本考案は、上記従来技術における課題に鑑みてなされたものであり、周囲雰囲気の影響を受けずに窓ガラスの性能を評価する温度測定装置を提供することを目的とする。
【課題を解決するための手段】
【０００６】
すなわち、本考案によれば、窓ガラスに面接触する開口部を有する箱状部材と、
前記箱状部材の内部の温度を測定する温度測定手段と
を備える温度測定装置が提供される。
【考案の効果】
【０００７】
上述したように、本考案によれば、窓ガラスの性能を評価する温度測定装置が提供される。
【図面の簡単な説明】
【０００８】
【図１】本考案の実施形態における温度測定装置の概略構成を示す斜視図。
【図２】本実施形態の温度測定装置を使用して室内温度を測定する例を示す図。
【図３】本実施形態の温度測定装置を使用した特殊ガラスの性能評価の結果を示す図。
【図４】本実施形態の温度測定装置を使用した特殊ガラスの性能評価の結果を示す図。
【考案を実施するための形態】
【０００９】
以下、本考案を、実施形態をもって説明するが、本考案は後述する実施形態に限定されるものではない。なお、以下に参照する各図においては、共通する要素について同じ符号を用い、適宜その説明を省略するものとする。
【００１０】
図１は、本考案の実施形態における温度測定装置１００の概略構成を示す斜視図である。温度測定装置１００は、窓ガラスに面接触する開口部を有する箱状部材１１０と、箱状部材１１０の内部に配設される温度測定手段としての熱電対１２０とを含んで構成される。また、温度測定装置１００は、熱電対１２０からの出力を温度として表示する温度計１３０を備える。なお、図１では、温度測定手段の一例として熱電対１２０を挙げているが、実施形態を限定するものではなく、熱電対１２０以外の温度測定手段であってもよい。
【００１１】
箱状部材１１０は、太陽光を内部に取り込むための開口部を有している。図１において箱状部材１１０は、一例として１面が開口している直方体形状を示しているが、特に実施形態を限定するものではない。箱状部材１１０の形状は、例えば、半球状、円筒状、錐体状などであってもよい。箱状部材１１０は、測定する室内の雰囲気の影響を低減するために、断熱性を有する材料で構成されることが好ましい。開口部は、窓ガラスに面接触し、箱状部材１１０内の密閉性を向上し、太陽光による箱状部材１１０内部に照射されたエネルギーの散逸を最小化する平坦な面を備えるが、実際の測定の際に、窓ガラスに平坦面を密着させて測定することが必要なわけではない。
【００１２】
また、箱状部材１１０の内壁は、入射する太陽光を乱反射させ、箱状部材１１０の内部の温度分布を一様にするためのコーティング処理を施すことが好ましい。コーティング処理の例としては、白色の塗装や、内壁表面を粗面状とする処理を行うことなどが挙げられる。
【００１３】
図２は、本実施形態の温度測定装置１００を使用して室内温度を測定する例を示す図である。図２（ａ）は、空調が効いている室内における例を示し、図２（ｂ）は、空調がない室内における例を示している。
【００１４】
建築物に用いられる窓ガラスは、設置される地域や気候などに応じて種々の性能を有する場合がある。例えば、日差しが強い地域などでは、夏場の室内の温度上昇を抑制するために、遮熱性を有する窓ガラス（以下、特定の機能を有するガラスを総称して「特殊ガラス」として参照する）が用いられる。特殊ガラスの例としては、ガラス材料の物性に特徴のあるもの、二重構造のガラスの空間にガスを封入したもの、ガラスにフィルムを貼り付けたもの、ガラスに塗装を施したものなどが挙げられる。遮熱性を有する特殊ガラスの性能は、特殊ガラスが用いられた建築物の室内の温度と、一般的な窓ガラスが用いられた室内の温度とを測定し、比較することで、評価することができる。
【００１５】
図２（ａ）に示すように、空調が効いている室内において温度を測定する場合には、温度測定装置１００の箱状部材１１０の開口部を窓ガラス２００に密着させる。これによって、熱電対１２０は、空調の影響を受けることなく、箱状部材１１０の内部の状態を取得でき、温度計１３０は、箱状部材１１０の内部の温度を測定することができる。このようにして、一般的な窓ガラス２００と、特殊ガラスの窓ガラス２００とで温度を測定し、比較することで、特殊ガラスの性能を評価することができる。
【００１６】
また、空調が効いていない室内においては、図２（ｂ）に示すように、窓ガラス２００と箱状部材１１０との間に空隙を設けて測定してもよい。
【００１７】
なお、本実施形態の温度測定装置１００による温度測定を行う前に、太陽の方位や角度を調べておき、温度測定装置１００を配置する方向などを決定してもよい。
【００１８】
図３および図４は、本実施形態の温度測定装置１００を使用した特殊ガラスの性能評価の結果を示す図である。性能評価は、本実施形態の温度測定装置１００を使用して、特殊ガラスを使用している室内温度と、一般的な窓ガラスを使用している室内温度とを測定し、比較することで行った。各図において、太線で示されるグラフは、窓ガラスが特殊ガラスである室内の温度を測定したものであり、細線で示されるグラフは、窓ガラスが一般的なガラスである室内の温度を測定したものである。測定はいずれも、岩手県下閉伊郡普代村において行われたものである。また、図３は、平成３０年９月２０日に測定した結果を、図４は、平成３０年１０月３日に測定した結果をそれぞれ示している。
【００１９】
本実施形態の温度測定装置１００を使用することで、図３および図４のいずれにおいても、種々の窓ガラスを使用している室内の温度が適切に測定でき、特殊ガラスの性能を評価することができた。
【００２０】
以上、説明した本考案の実施形態によれば、窓ガラスの性能を評価する温度測定装置を提供することができる。
【００２１】
以上、本考案について実施形態をもって説明してきたが、本考案は上述した実施形態に限定されるものではなく、当業者が推考しうる実施態様の範囲内において、本考案の作用・効果を奏する限り、本考案の範囲に含まれるものである。
【符号の説明】
【００２２】
１００…温度測定装置、
１１０…箱状部材、
１２０…熱電対、
１３０…温度計、
２００…窓ガラス
【先行技術文献】
【特許文献】
【００２３】
【特許文献１】特開２００７−２４７２７号公報
【図１】
0003221243.tif 000003
【図２】
0003221243.tif 000004
【図３】
0003221243.tif 000005
【図４】
0003221243.tif 000006